(57)【要約】    【課題】  糸絡みを十分に防止できる釣糸ガイドを提供する。    【解決手段】  この釣糸ガイド１は、釣竿の竿体Ｒの周面に固定される部材である。釣糸ガイド１は、竿体Ｒの周面に固定される固定部２と、固定部２より起立する脚部３と、脚部３の頭端に形成された竿体Ｒの長手方向に貫通する貫通孔を有するガイドフレーム４と、貫通孔にはめ込まれ釣糸Ｌが挿通可能なガイドリング５と、脚部３に対してその長手方向を回動軸として回動自在に装着される回転パイプ６とを有している。釣糸Ｌが弛んで脚部３に絡みつこうとしても、回転パイプ６が回転して、釣糸Ｌの絡みつきを抑える。【選択図】      図１
2005143460.tif 000002
【特許請求の範囲】
【請求項１】
魚釣りに用いる釣竿に装着される釣糸ガイドであって、
前記釣竿の竿体の周面に固定される固定部と、
前記固定部より起立する脚部と、
前記脚部の頭端に形成された前記釣竿の長手方向に貫通する貫通孔を有するガイドフレームと、
前記貫通孔にはめ込まれ釣糸が挿通可能なガイドリングと、
前記脚部に対してその長手方向を回動軸として回動自在に装着される回転パイプと、
を備えた釣糸ガイド。
【請求項２】
前記回転パイプは前記ガイドフレーム側ほど太径化している、請求項１に記載の釣糸ガイド。
【発明の詳細な説明】
【技術分野】
【０００１】
本発明は、竿体の外周面に固定された釣糸を挿通する釣糸ガイドに関する。
【背景技術】
【０００２】
魚釣りに用いる釣竿の外周面には、釣糸に接触して釣糸をリールと穂先との間で案内する釣糸ガイドが設けられている。一般的な釣糸ガイドは、竿体周面に固定部を取り付け、ここから起立する脚部の頭端にセラミックス等の硬質部材からなるガイドリングが嵌め込まれている。固定部の竿体への装着手法は、釣糸ガイドの種類によって様々であるが、いわゆるスライドガイドであれば、固定部が竿体に外嵌している。固定式のガイドであれば、
リング部とリング部から径方向外方に伸び釣竿の竿体脚部とを有するガイドフレームと、釣竿の竿体の周面に例えば合成樹脂と巻糸とによって固定されている。リング部にはめ込まれたセラミック製のガイドリングとからなる。そして、リールからの釣糸が釣糸ガイドのガイドリングを順次挿通して穂先側に導かれてゆくことになる。
【０００３】
この種の釣糸ガイドに生じる問題の１つに「糸絡み」と言う問題がある。釣糸が釣糸ガイドのガイドリングを挿通した状態で案内されることになるが、リールからの釣糸の放出程度如何によっては釣糸が弛んでしまい、釣糸ガイドの脚部に巻き付いてしまうような現象が生じるのである。
【０００４】
このような問題を解決するために、種々の技術が提案されてきた。例えば、脚部の形状を特定のものとして、糸絡みを極力防止した釣糸ガイドも提案されている（特許文献１参照）。しかし、釣糸ガイドに対してはさらなる糸絡み防止のための改良が求められている。
【特許文献１】特開2002-171871号公報
【発明の開示】
【発明が解決しようとする課題】
【０００５】
本発明は、糸絡みを十分に防止できる釣糸ガイドを提供するものである。
【課題を解決するための手段】
【０００６】
本発明の釣糸ガイドは、魚釣りに用いる釣竿に装着される釣糸ガイドであって、釣竿の竿体の周面に固定される固定部と、固定部より起立する脚部と、脚部の頭端に形成された釣竿の長手方向に貫通する貫通孔を有するガイドフレームと、貫通孔にはめ込まれ釣糸が挿通可能なガイドリングと、脚部に対してその長手方向を回動軸として回動自在に装着される回転パイプとを備えている。
【０００７】
この釣糸ガイドにおいては、リールから導出されてくる釣糸はガイドリングを挿通して案内される。リールからの釣糸の導出乃至巻き取りの際に釣糸に弛みが生じ、風などの影響を受けた釣糸が脚部に絡み付こうとしても、脚部に装着されている回転パイプが回転し、その周面には釣糸が絡みつかない。
【０００８】
この回転パイプはガイドフレーム側ほど太径化させてもよい。弛んだ釣糸が脚部に絡み付こうとした際に、回転パイプが十分に回転しなくても、回転パイプの外周面のテーパに沿って、釣糸がガイドフレーム側に滑り上がる。若しくは、回転パイプの回転と共に、釣糸が回転パイプの外周面のテーパに沿って滑り上がる。
【発明の効果】
【０００９】
本発明の釣糸ガイドによれば、いわゆる「糸絡み」を効果的に防止できる。
【発明を実施するための最良の形態】
【００１０】
［第１実施形態］
以下、本発明の第１実施形態について、図面を参照しつつ説明する。
【００１１】
本発明の第１実施形態を採用した釣糸ガイド１は、図１に示すように、釣竿の竿体Ｒの周面に固定される部材である。釣糸ガイド１は、竿体Ｒの周面に固定される固定部２と、固定部２より起立する脚部３と、脚部３の頭端に形成された竿体Ｒの長手方向に貫通する貫通孔を有するガイドフレーム４と、貫通孔にはめ込まれ釣糸Ｌが挿通可能なガイドリング５と、脚部３に対してその長手方向を回動軸として回動自在に装着される回転パイプ６とを有している。
【００１２】
固定部２はチタン・アルミニウム等の合金若しくは硬質の合成樹脂から形成されたパイプ状の部材である。竿体Ｒの周面に外嵌されている。釣糸ガイド１がいわゆるスライドガイドであるような場合には、固定部２の内径と竿体Ｒの所定の長手方向位置での外径との一致により、固定部２が竿体Ｒの長手方向にスライド移動自在且つ所定の位置に固定可能となる。他方、釣糸ガイド１がいわゆる固定式のガイドであるような場合には、固定部２は竿体Ｒの所定の軸長方向位置に接着剤等で固定してもよい。
【００１３】
この固定部２に連結され起立している部分が脚部３である。脚部３は固定部２と一体的に形成しても良いし、別途形成したものを固定部２に嵌め込み固定してもよい。脚部は円柱状に固定部２より起立しており、後述の回転パイプ６の回動軸となっている。
【００１４】
ガイドフレーム４は、脚部３の頭端に連続して形成される部分である。ガイドフレーム４は脚部３の頭端側において幅方向に膨らんでおり、竿体Ｒの長手方向に貫通する貫通孔が形成されている。この貫通孔にガイドリング５が嵌め込まれている。ガイドリング５はセラミックスなどの硬質部材から形成されるリングであって、釣糸Ｌが挿通する部分である。
【００１５】
回転パイプ６は、硬質合成樹脂等から形成される円筒型の部材である。例えば、半円筒型の２つのパーツを組み合わせて構成されている。この回転パイプ６はその長手方向に延びる中央の穴に脚部３が貫通しており、脚部３が回動軸となっている。また、この回転パイプ６の外径は、頭端側（ガイドフレーム４側）ほど徐々に太径化するようなテーパが施されている。その頭端側端部の外径である最大径は、ガイドフレーム４の幅方向に膨らむ外形線になるべく連続するように設定するのが好ましい。
【００１６】
このように構成された釣糸ガイド１においては、リールからの釣糸Ｌの導出乃至巻き取りの際に釣糸Ｌに弛みが生じ、風などの影響を受けた釣糸Ｌが脚部３に絡み付こうとしても、脚部３に装着されている回転パイプ６が回転し、その周面には釣糸Ｌが絡みつかない。また、回転パイプ６が十分に回転しなくても、回転パイプ６の外周面のテーパに沿って、釣糸Ｌがガイドフレーム４側に滑り上がる。若しくは、回転パイプ６の回転と共に、釣糸Ｌが回転パイプ６の外周面のテーパに沿って滑り上がる。こうして、いわゆる「糸絡み」を十分に防止できる。
【００１７】
［第２実施形態］
第２実施形態として変形例を示す。
【００１８】
本発明の第２実施形態を採用した釣糸ガイド１１を図２に示す。この釣糸ガイド１１も、第１実施形態と同様に、釣竿の竿体Ｒの周面に固定される部材である。釣糸ガイド１１は、竿体Ｒの周面に固定される固定部１２と、固定部１２より起立する一対の脚部１３と、脚部１３の頭端に形成された竿体Ｒの長手方向に貫通する貫通孔を有するガイドフレーム１４と、貫通孔にはめ込まれ釣糸Ｌが挿通可能なガイドリング１５と、脚部１３に対してその長手方向を回動軸として回動自在に装着される回転パイプ１６とを有している。
【００１９】
この釣糸ガイド１１では、脚部１３が固定部１２の周面の２カ所からそれぞれ起立している。一対の脚部１３にそれぞれ回転パイプ１６が回動自在に装着されている。回転パイプ１６は互いの回動を阻害しないような大きさで、脚部１３を回動軸として脚部１３の周面に取り付けられている。一対の脚部１３はガイドフレーム１４側ほど相互の距離を短くするように傾斜している。
【００２０】
その他の構成は第１実施形態と同様である。
このように構成された釣糸ガイド１１においても、第１実施形態と同様に糸絡みが防止される。即ち、リールからの釣糸Ｌの導出乃至巻き取りの際に釣糸Ｌに弛みが生じ、風などの影響を受けた釣糸Ｌが脚部１３に絡み付こうとしても、脚部１３に装着されている回転パイプ１６が回転し、その周面には釣糸Ｌが絡みつかない。また、一対の脚部１３はガイドフレーム１４側ほど相互の距離を短くするように傾斜しており、回転パイプ１６が十分に回転しなくても、回転パイプ１６の周面を釣糸Ｌが滑り上がり、糸絡みが防止される。
【００２１】
［第３実施形態］
さらに、別の変形例を第３実施形態として図３に示す。
【００２２】
本発明の第３実施形態を採用した釣糸ガイド２１も、第１実施形態と同様に、釣竿の竿体Ｒの周面に固定される部材である。釣糸ガイド２１は、竿体Ｒの周面に固定される固定部２２と、固定部２２より起立する脚部２３と、脚部２３の頭端に形成された竿体Ｒの長手方向に貫通する貫通孔を有するガイドフレーム２４と、貫通孔にはめ込まれ釣糸Ｌが挿通可能なガイドリング２５と、脚部２３に対してその長手方向を回動軸として回動自在に装着される回転パイプ２６とを有している。
【００２３】
固定部２２及び脚部２３は一体的に形成されており、脚部２３の下端が竿体Ｒの長手方向に沿って折り曲げられて固定部２２となっている。固定部２２は竿体Ｒと共に巻糸で巻回され、さらに、巻糸は合成樹脂等でコーティングされている。
【００２４】
脚部２３は竿体Ｒの長手方向に傾斜しつつ固定部２２より起立する部分である。下端（固定部２２側）にはフランジ２３ａが形成されており、このフランジ２３ａが後述の回転パイプ２６の位置決め手段となっている。
【００２５】
回転パイプ２６は上記第１実施形態と同様に、ガイドフレーム２４側ほど太径化するテーパが施された円筒型部材である。フランジ２３ａに下端が当接して脚部２３の長手方向において位置決めされている。
【００２６】
このように構成された釣糸ガイド１１においても、第１実施形態と同様に糸絡みが防止される。
【図面の簡単な説明】
【００２７】
【図１】本発明の第１実施形態を採用した釣糸ガイド１を示した図。
【図２】本発明の第２実施形態を採用した釣糸ガイド１１を示した図。
【図３】本発明の第３実施形態を採用した釣糸ガイド２１を示した図。
【符号の説明】
【００２８】
２，１２，２２  固定部
３，１３，２３  脚部
４，１４，２４  ガイドフレーム
５，１５，２５  ガイドリング
６，１６，２６  回転パイプ
【図１】
2005143460.tif 000003
【図２】
2005143460.tif 000004
【図３】
2005143460.tif 000005